(57)【特許請求の範囲】
【請求項１】
周辺機器に設定されている固有ＩＤに基づいて前記周辺機器を検索してリンクを確立する無線基地局装置のリンク確立方法であって、
前記固有ＩＤにおける１桁目を検査対象桁に指定し、当該検査対象桁にセットする数値を変更させながらＸＩＤコマンドを順次送信するＸＩＤコマンド送信ステップと、
送信した前記ＸＩＤコマンドに対応したＸＩＤレスポンスを１台の前記周辺機器から受信した場合には、当該周辺機器を検出する検出ステップと、
送信した前記ＸＩＤコマンドに対応したＸＩＤレスポンスを複数台の前記周辺機器から受信した場合には、前記ＸＩＤレスポンスの衝突を検出した衝突位置を記憶すると共に、前記検査対象桁を次の桁に繰り上げて前記ＸＩＤコマンド送信ステップを実行させる衝突検出ステップと、
検索した前記周辺機器の前記固有ＩＤを用いてリンクを確立させるリンク確立ステップとを有することを特徴とする無線基地局装置のリンク確立方法。
【請求項２】
リンクが確立した前記周辺機器の前記固有ＩＤを記憶する固有ＩＤ記憶ステップを有することを特徴とする請求項１記載の無線基地局装置のリンク確立方法。
【請求項３】
リンクが切断され、リンク断状態の前記周辺機器に対して、前記ＸＩＤコマンド送信ステップ、前記検出ステップ及び前記衝突検出ステップを実行することなく、前記固有ＩＤ記憶ステップによって記憶した前記固有ＩＤを用いてリンクを再確立させるリンク再確立ステップを有することを特徴とする請求項２記載の無線基地局装置のリンク確立方法。
【発明の詳細な説明】
【技術分野】
【０００１】
本発明は、接続されている二次局（Secondary Station）を検索してリンクを確立する無線基地局装置のリンク確立方法に関する。
【背景技術】
【０００２】
無線端末との間で無線通信を行うための無線基地局には、アンテナの仰角を制御するＲＥＴ（電動リモートチルトユニット）やアンテナからの信号を増幅するＴＭＡ（タワーマウントアンプ）等の周辺機器が設けられており、ＲＥＴやＴＭＡ等の周辺機器は、無線基地局と光ファイバで接続された送受信増幅器（ＲＲＨ：Remote Radio Head）等の無線基地局装置によって監視、制御されるように構成されている（例えば、特許文献１を参照）。無線基地局装置は、一次局（Primary Station）として、ＲＥＴやＴＭＡ等の周辺機器は二次局としてそれぞれ位置づけられ、一次局である無線基地局装置は、二次局であるＲＥＴやＴＭＡをＨＤＬＣ（High-Level Data Link Control）のＮＲＭ（Normal Response Mode）にて監視、制御を行う。
【０００３】
無線基地局装置は起動時に、ＲＥＴまたはＴＭＡに対し電源制御を実施すると共に、ＸＩＤ（Exchange ID）コマンド・アンド・レスポンス（一次局から二次局への要求コマンドと二次局から一次局への応答レスポンス）によって、アドレス割り当て、ＨＤＬＣのパラメータ、ＡＩＳＧ（Antenna Interface Standards Group）プロトコルのバージョン、３ＧＰＰ（3rd Generation Partnership Project）プロトコルのバージョン等が決定される。
【先行技術文献】
【特許文献】
【０００４】
【特許文献１】特開２００９−１８８７６６号公報
【発明の概要】
【発明が解決しようとする課題】
【０００５】
一次局である無線基地局装置は、さらに上位装置から事前にシステムパラメータで入手することで配下の二次局であるＲＥＴやＴＭＡの検索も可能ではあるが、無線基地局装置を単独の製品として位置づけた場合は無線基地局装置単独で配下の二次局を検索する機能を搭載することで上位装置に依存しない形態が確立できる。
【０００６】
しかしながら、配下に接続されている二次局を検索する具体的なデバイススキャンの手順が、ＡＩＳＧ規格や３ＧＰＰの規程には記載はされておらず、デバイススキャン方法が確立されていないという問題点があった。
【０００７】
本発明は斯かる問題点を鑑みてなされたものであり、その目的とするところは、接続されているＲＥＴやＴＭＡ等の二次局を高速で検索することができ、二次局とのリンクの確立を高速で行うことができる無線基地局装置のリンク確立方法を提供する点にある。
【課題を解決するための手段】
【０００８】
本発明に係る無線基地局装置のリンク確立方法は、上記の目的を達成するため、次のように構成される。
請求項１記載の無線基地局装置のリンク確立方法は、周辺機器に設定されている固有ＩＤに基づいて前記周辺機器を検索してリンクを確立する無線基地局装置のリンク確立方法であって、前記固有ＩＤにおける１桁目を検査対象桁に指定し、当該検査対象桁にセットする数値を変更させながらＸＩＤコマンドを順次送信するＸＩＤコマンド送信ステップと、送信した前記ＸＩＤコマンドに対応したＸＩＤレスポンスを１台の前記周辺機器から受信した場合には、当該周辺機器を検出する検出ステップと、送信した前記ＸＩＤコマンドに対応したＸＩＤレスポンスを複数台の前記周辺機器から受信した場合には、前記ＸＩＤレスポンスの衝突を検出した衝突位置を記憶すると共に、前記検査対象桁を次の桁に繰り上げて前記ＸＩＤコマンド送信ステップを実行させる衝突検出ステップと、検索した前記周辺機器の前記固有ＩＤを用いてリンクを確立させるリンク確立ステップとを有することを特徴とする。
さらに、請求項２記載の無線基地局装置のリンク確立方法は、リンクが確立した前記周辺機器の前記固有ＩＤを記憶する固有ＩＤ記憶ステップを有することを特徴とする。
さらに、請求項３記載の無線基地局装置のリンク確立方法は、リンクが切断され、リンク断状態の前記周辺機器に対して、前記ＸＩＤコマンド送信ステップ、前記検出ステップ及び前記衝突検出ステップを実行することなく、前記固有ＩＤ記憶ステップによって記憶した前記固有ＩＤを用いてリンクを再確立させるリンク再確立ステップを有することを特徴とする。
【発明の効果】
【０００９】
本発明の無線基地局装置のリンク確立方法は、上位装置からの二次局情報が無くとも、一次局である無線基地局装置で二次局であるＲＥＴやＴＭＡ等の周辺機器を検索でき、ＸＩＤレスポンスの衝突を利用することで接続されている二次局を高速で検索することができるという効果を奏する。
【図面の簡単な説明】
【００１０】
【図１】本発明に係る無線基地局システムの実施の形態の構成を示すブロック図である。
【図２】図１に示す無線基地局装置のハードウェアの構成を示すハードウェア構成図である。
【図３】図１に示す無線基地局装置のソフトウェアの構成を示すソフトウェア構成図である。
【図４】本発明に係る無線基地局装置のデバイススキャン対象のデータ構成を示す図である。
【図５】本発明に係る無線基地局装置のデバイススキャン方法のロジックを説明するための説明図である。
【図６】本発明に係る無線基地局装置のデバイススキャン方法を説明するための説明図である。
【図７】本発明に係る無線基地局装置のデバイススキャン方法を説明するための説明図である。
【図８】従来の無線基地局装置におけるリンク復旧動作を示すシーケンス図である。
【図９】本発明に係る無線基地局装置におけるリンク復旧動作を示すシーケンス図である。
【図１０】本発明に係る無線基地局装置における意図的なリンク断動作を示すシーケンス図である。
【発明を実施するための形態】
【００１１】
以下に、本発明の好適な本実施の形態を添付図面に基づいて説明する。
本実施の形態が用いられる無線基地局システムは、図１を参照すると、無線端末との間で無線通信を行うための無線基地局１と、無線基地局１に光ファイバで接続された無線基地局装置２と、無線基地局装置２に接続された６台の周辺機器３ａ〜３ｆで構成されている。無線基地局装置２は、一次局（Primary Station）として、周辺機器３ａ〜３ｆは二次局（Secondary Station）としてそれぞれ位置づけられ、無線基地局１は、無線基地局装置２の上位装置として位置づけられる。
【００１２】
無線基地局装置２は、送受信増幅器（ＲＲＨ：Remote Radio Head）等のプログラム制御によって動作する装置であり、ハードウェア構成は、図２に示すように、ＣＰＵ２１と、ＲＯＭ２２と、ＲＡＭ２３と、ＤＳＰ（Digital Signal Processor）２４と、ＦＰＧＡ（Field Programmable Gate Array）２５とがバス２６によって接続されている。また、ソフトウェア構成は、図３に示すように、図２に示すハードウェア構成上で、ＨＤＬＣ（High-Level Data Link Control）／ＮＲＭ（Normal Response Mode）、ＨＤＬＣ  ＮＲＭ  Ｍａｎａｇｅｒ及び様々なアプリケーションが動作されるようになっている。
【００１３】
無線基地局装置２は、配下の二次局、すなわち接続されている周辺機器３ａ〜３ｆを検索する機能を有し、接続されている周辺機器３ａ〜３ｆをＨＤＬＣ／ＮＲＭにて監視、制御を行うように構成されている。まず、Ｌａｙｅｒ２のリンク確立前に、配下に接続されている周辺機器３ａ〜３ｆをＸＩＤ（Exchange ID）コマンド・アンド・レスポンス（一次局から二次局への要求コマンドと二次局から一次局への応答レスポンス）を用いたデバイススキャンで検索する。その後、ＸＩＤコマンド・アンド・レスポンスによって、アドレス割り当てと、ＨＤＬＣのパラメータと、ＡＩＳＧ（Antenna Interface Standards Group）プロトコルのバージョンと、３ＧＰＰ（3rd Generation Partnership Project）プロトコルのバージョンが決定され、一次局である無線基地局装置２と二次局である周辺機器３ａ〜３ｆとのリンクが確立される。
【００１４】
周辺機器３ａ〜３ｆは、アンテナの仰角を制御するＲＥＴ（電動リモートチルトユニット）やアンテナからの信号を増幅するＴＭＡ（タワーマウントアンプ）等である。なお、本実施の形態では、無線基地局装置２に６台の周辺機器３ａ〜３ｆが接続されるように構成したが、無線基地局装置２に接続させる周辺機器の台数は何台であっても良い。
【００１５】
次に、無線基地局装置２による周辺機器３ａ〜３ｆに対するデバイススキャンのロジックについて図４及び図５を参照して説明する。
周辺機器３ａ〜３ｆには、図１及び図４を参照すると、２桁のベンダーコードと、１７桁のシリアルナンバーとからなる１９桁の固有ＩＤ（UniqueＩＤ）がそれぞれ設定されている。図５を参照すると、無線基地局装置２は、図４に示すようなＸＩＤコマンドの送信フレーム内の１９オクテットからなるデータ構成に固有ＩＤをセットし（ステップＳ１）、ＸＩＤコマンドを二次局に対して送信する。ＸＩＤコマンドを受け取った周辺機器３ａ〜３ｆは、固有ＩＤの照合を行い（ステップＳ２）、照合結果を判断する（ステップＳ３）。照合結果がＯＫ、すなわち固有ＩＤが一致した場合には、周辺機器３ａ〜３ｆは、無線基地局装置２にＸＩＤレスポンスを通知し、照合結果がＮＧ、すなわち固有ＩＤが不一致の場合には、ＸＩＤレスポンスを通知せず無応答とする（ステップＳ４）。ＸＩＤレスポンスを受け取った無線基地局装置２は、ＸＩＤレスポンスを通知してきた周辺機器３ａ〜３ｆのいずれかを検出することができる（ステップＳ５）。
【００１６】
次に、無線基地局装置２が制御する具体的なデバイススキャン方法について図６及び図７を参照して説明する。
無線基地局装置２は、検査対象オクテットを「0xFF」にてマスク指定とすると共に、検査対象のオクテットにセットする値を「０、１、２〜８、９」と巡回させながら、ＸＩＤコマンドを周辺機器３ａ〜３ｆに送信し、周辺機器３ａ〜３ｆからのＸＩＤレスポンスの受信を待機する。このように検査対象オクテットをマスク指定とすることは、固有ＩＤにおける検査対象桁を指定することになり、固有ＩＤが桁毎に照合されることになる。所定時間以内に周辺機器３ａ〜３ｆの内の１台からＸＩＤレスポンスを受信した場合には、ＸＩＤレスポンスを通知してきた周辺機器３ａ〜３ｆのいずれかを検出する。また、所定時間以内に周辺機器３ａ〜３ｆの内の複数台からＸＩＤレスポンスを受信した場合には、ＸＩＤレスポンスの衝突を検出した衝突位置、すなわち検査対象オクテットにセットした数値を記憶する。さらに、所定時間以内にＸＩＤレスポンスを受信できなかった場合には、タイムアウトと認識し、セットする値をインクリメントして次のＸＩＤコマンドを送信する。このようにして検査対象オクテットを変えながら接続されている全ての周辺機器３ａ〜３ｆが検出されるまでデバイススキャンを実施する。
【００１７】
ついで、簡単検出例としてベンダーコード「KE」と、シリアルナンバー「00000000000000003」とからなる固有ＩＤを有する１台の周辺機器３ｇが無線基地局装置２に接続されている例について図６を参照して説明する。
（１）無線基地局装置２は、０オクテットを検査対象オクテットとしてマスク指定すると共に、０オクテットのデータ「0x00」をセットしたＸＩＤコマンドを周辺機器３ｇに送信する。
（２）周辺機器３ｇは、０オクテットのデータ、すなわち固有ＩＤの１桁目が「0x03」なので、照合結果がＮＧとなってＸＩＤレスポンスを通知せず無応答になる。
（３）無線基地局装置２は、タイムアウトを認識し、０オクテットを検査対象オクテットとしてマスク指定すると共に、０オクテットのデータ「0x01」をセットしたＸＩＤコマンドを周辺機器３ｇに送信する。
（４）周辺機器３ｇは、０オクテットのデータが「0x03」なので、照合結果がＮＧとなってＸＩＤレスポンスを通知せず無応答。
（５）無線基地局装置２は、タイムアウトを認識し、０オクテットを検査対象オクテットとしてマスク指定すると共に、０オクテットのデータ「0x02」をセットしたＸＩＤコマンドを周辺機器３ｇに送信する。
（６）周辺機器３ｇは、０オクテットのデータが「0x03」なので、照合結果がＮＧとなってＸＩＤレスポンスを通知せず無応答。
（７）無線基地局装置２は、タイムアウトを認識し、０オクテットを検査対象オクテットとしてマスク指定すると共に、０オクテットのデータ「0x03」をセットしたＸＩＤコマンドを周辺機器３ｇに送信する。
（８）周辺機器３ｇは、０オクテットのデータが「0x03」なので、照合結果がＯＫとなってＸＩＤレスポンスを無線基地局装置２に通知する。
（９）無線基地局装置２は、１台の周辺機器３ｇからＸＩＤレスポンスを受信することで、周辺機器３ｇを検出してデバイススキャンを終了する
本例では、ＸＩＤコマンドの送信回数は、４回となり、デバイススキャン周期を２００ｍｓとすると、０．８秒間でデバイススキャンが終了することになる。
【００１８】
ついで、図１に示すように６台の周辺機器３ａ〜３ｆが無線基地局装置２に接続されている例について図７を参照して説明する。
（１）無線基地局装置２は、０オクテットを検査対象オクテットとしてマスク指定すると共に、０オクテットのデータ「0x00」〜「0x07」をセットしたＸＩＤコマンドを周辺機器３ａ〜３ｆに順次送信する。
（２）周辺機器３ａ〜３ｆには、０オクテットのデータ、すなわち固有ＩＤの１桁目が「0x00」〜「0x07」のものは存在しないので、全ての周辺機器３ａ〜３ｆにおいて照合結果がＮＧとなってＸＩＤレスポンスが通知される無応答になる。
（３）無線基地局装置２は、タイムアウトを認識し、０オクテットを検査対象オクテットとしてマスク指定すると共に、０オクテットのデータ「0x08」をセットしたＸＩＤコマンドを周辺機器３ａ〜３ｆに送信する。
（４）周辺機器３ｂ、３ｄ、３ｆは、０オクテットのデータが「0x08」なので、照合結果がＯＫとなってＸＩＤレスポンスを無線基地局装置２に通知する。
（５）無線基地局装置２は、周辺機器３ｂ、３ｄ、３ｆからＸＩＤレスポンスを受信することになり、ＸＩＤレスポンスの衝突を検出した衝突位置、すなわち検査対象オクテット（０オクテット）にセットした数値「0x08」を記憶すると共に、検査対象オクテットを次のオクテット（1オクテット）に繰り上げる。
（６）１オクテット以降も同様にデバイススキャンを実施する。なお、１オクテット以降のデバイススキャンにおいては、図７に示すように、先に照合したオクテットにＸＩＤレスポンスの衝突が検出された衝突位置がセットされ、検査対象オクテットと、先に照合したオクテットとがマスク指定されて照合される。例えば、検査対象オクテットが３オクテットである場合には、０オクテットに「0x08」が、１、２オクテットに「0x09」がそれぞれセットされ、０〜３オクテットが指定される。
（７）その結果、図７に示すように、無線基地局装置２は、周辺機器３ｆ、３ｄ、３ｂ、３ｅ、３ｃ、３ａの順に検出してデバイススキャンを終了する。
なお、矢印Ａで示すように、検査対照オクテットがシリアルナンバーの最終桁である最終オクテット（１６オクテット）であり、セットしたデータが「0x09」まで達した場合には、無線基地局装置２は、検査対照オクテットを固有ＩＤの１桁目である最初の０オクテットに初期化して、記憶しているデータ「0x08」をセットしたＸＩＤコマンドを送信する。このように衝突の検出によって記憶しているデータはデバイススキャンの間はクリアされることなく、電源ＯＦＦ時のみにクリアされる。
本例では、ＸＩＤコマンドの送信回数は、１９６回となり、デバイススキャン周期を２００ｍｓとすると、３９．２秒間でデバイススキャンが終了することになる。
【００１９】
このようにデバイススキャンが終了して二次局（周辺機器３ａ〜３ｆ）が検出、すなわち二次局（周辺機器３ａ〜３ｆ）の固有ＩＤが取得されると、無線基地局装置２と検出された周辺機器３ａ〜３ｆとの間でＸＩＤコマンド・アンド・レスポンスがそれぞれ実施され、リンクが確立される。
図８に示す（ｂ）リンク断状態を参照すると、一次局（無線基地局装置２）は、固有ＩＤを用いたＸＩＤコマンド・アンド・レスポンスである、（１）アドレス割り当てコマンド・アンド・レスポンスと、（２）ＨＤＬＣパラメータコマンド・アンド・レスポンスと、（３）ＡＩＳＧプロトコルバージョンコマンド・アンド・レスポンスと、（４）３ＧＰＰプロトコルバージョンコマンド・アンド・レスポンスを実施する。
（１）アドレス割り当てコマンド・アンド・レスポンス
本コマンド・アンド・レスポンスは、デバイススキャンが完了し、固有ＩＤが取得された二次局（周辺機器３ａ〜３ｆ）に対してアドレス割り当てを一次局（無線基地局装置２）から実施する。アドレス割り当てコマンドの設定によって、本コマンド以降で使用するＨＤＬＣ個別アドレスが二次局（周辺機器３ａ〜３ｆ）に付与される。
（２）ＨＤＬＣパラメータコマンド・アンド・レスポンス
本コマンド・アンド・レスポンスは、リンク確立後に一次局（無線基地局装置２）と二次局（周辺機器３ａ〜３ｆ）とで使用する各々のパラメータ（例えば、データ受信バッファサイズや送信バッファサイズ等）の設定を実施する。
（３）ＡＩＳＧプロトコルバージョンコマンド・アンド・レスポンス
本コマンド・アンド・レスポンスは、一次局（無線基地局装置２）と二次局（周辺機器３ａ〜３ｆ）とで使用される各々のＡＩＳＧプロトコルのプ口トコルバージョンの交換処理を実施する。
（４）３ＧＰＰプロトコルバージョンコマンド・アンド・レスポンス
本コマンド・アンド・レスポンスは、一次局（無線基地局装置２）と二次局（周辺機器３ａ〜３ｆ）とで使用される３ＧＰＰプロトコルのプ口トコルバージョンの交換処理を実施する。
【００２０】
次に、一次局（無線基地局装置２）は、リンク確立制御コマンド（ＳＮＲＭ：Set Normal Response Mode）を二次局（周辺機器３ａ〜３ｆ）に送信する。このリンク確立制御コマンド（ＳＮＲＭ）に対し、二次局（周辺機器３ａ〜３ｆ）から一次局（無線基地局装置２）に応答レスポンス｛ＵＡ：Unnumbered Acknowledgement）が正常に返却されると、一次局（無線基地局装置２）と二次局（周辺機器３ａ〜３ｆ）との間のリンクが確立され、ＨＤＬＣリンク確立状態に移行される。リンク確立後は、一次局（無線基地局装置２）と二次局（周辺機器３ａ〜３ｆ）との間で定期的にヘルスチェックコマンド（ＰＲ）とヘルスチェックレスポンス（ＲＲ）とを交換することでリンク状態が保持される。
【００２１】
次に、本実施の形態において、一次局（無線基地局装置２）と二次局（周辺機器３ａ〜３ｆ）とのリンクが切断された後、再びリンクを確立させるリンク復旧動作について図８及び図９を参照して詳細に説明する。
一次局（無線基地局装置２）と二次局（周辺機器３ａ〜３ｆ）とのリンクが確立している、図８に示す（ａ）リンク中状態において、一次局（無線基地局装置２）から二次局（周辺機器３ａ〜３ｆ）に対してデータ送信（Ｉフレーム）等を行ったにもかかわらず、二次局（周辺機器３ａ〜３ｆ）から一次局（無線基地局装置２）への送信応答を確認できず無応答である場合には、一次局（無線基地局装置２）は、任意数再送制御を実施する。再送制御にもかかわらず二次局（周辺機器３ａ〜３ｆ）から応答を確認できない場合には、一次局（無線基地局装置２）は、無応答の二次局（周辺機器３ａ〜３ｆ）とのリンクを切断し、リンク断状態に移行させる。
【００２２】
従来から行われているリンク復旧動作では、まず、図８に示す（ｂ）リンク断状態において、二次局（周辺機器３ａ〜３ｆ）の存在確認シーケンスが実行される。一次局（無線基地局装置２）は、ＸＩＤコマンド・アンド・レスポンスによるデバイススキャンによって二次局（周辺機器３ａ〜３ｆ）の固有ＩＤを取得する。二次局（周辺機器３ａ〜３ｆ）の固有ＩＤが取得されると、一次局（無線基地局装置２）は、固有ＩＤを用いたＸＩＤコマンド・アンド・レスポンスによって、二次局（周辺機器３ａ〜３ｆ）との間で用いるアドレスの割り当てと、ＨＤＬＣのパラメータと、ＡＩＳＧプロトコルのバージョンと、３ＧＰＰプロトコルのバージョンを決定する。次に、一次局（無線基地局装置２）は、二次局（周辺機器３ａ〜３ｆ）に対して、リンクの確立を要求するリンク確立コマンド（ＳＮＲＭ：Set Normal Response Mode）を送信し、送信したリンク確立コマンド（ＳＮＲＭ）の受け入れを応答するリンク確立レスポンス（ＵＡ：Unnumbered Acknowledgement）を二次局（周辺機器３ａ〜３ｆ）から受信すると、二次局（周辺機器３ａ〜３ｆ）との間のリンクを確立する。なお、図８に示す（ｃ）リンク中状態において、一次局（無線基地局装置２）は、ヘルスチェックコマンド（ＲＲ：Receive Ready）を二次局（周辺機器３ａ〜３ｆ）に送信し、二次局（周辺機器３ａ〜３ｆ）からヘルスチェックレスポンス（ＲＲ：Receive Ready）を受信することで、二次局（周辺機器３ａ〜３ｆ）の正常／異常を監視する。
【００２３】
ここで、リンク断状態に制御するデバイススキャンに要する時間が問題となる。上述のように本実施の形態のデバイススキャン方法によってデバイススキャンに要する時間を短くすることが可能になるものの、リンク断状態でデバイススキャンを実行すると、リンク断状態からリンク中状態への移行に時間を要し、どうしてもリンク断状態の時間が長くなってしまう。そこで本実施の形態では、一次局（無線基地局装置２）は、ＲＡＭ２３にリンクが切断された二次局（周辺機器３ａ〜３ｆ）の固有ＩＤを記憶しておくように構成されている。
【００２４】
図９に示す（ｄ）リンク断状態を参照すると、リンク切断後、リンクが切断された二次局（周辺機器３ａ〜３ｆ）の固有ＩＤを記憶されている場合には、一次局（無線基地局装置２）は、リンクが切断された二次局（周辺機器３ａ〜３ｆ）に対して、デバイススキャンを行うことなく、記憶している固有ＩＤを用いて、アドレス割り当てコマンドを二次局（周辺機器３ａ〜３ｆ）に送信する。そして一次局（無線基地局装置２）は、二次局（周辺機器３ａ〜３ｆ）からのアドレス割り当てレスポンスが受信されると、デバイススキャンを実行した場合と同様に、ＨＤＬＣのパラメータと、ＡＩＳＧプロトコルのバージョンと、３ＧＰＰプロトコルのバージョンを決定し、リンクを確立させる。なお、図９に示す（ａ）、（ｃ）リンク中状態の動作は、従来と同様である。
【００２５】
また、本実施の形態の一次局（無線基地局装置２）は、意図的に二次局（周辺機器３ａ〜３ｆ）とのリンクを切断する機能を有する。意図的なリンクの切断は一次局（無線基地局装置２）が自発的に行う場合と、上位装置からの指示で一次局（無線基地局装置２）が行う場合がある。意図的に二次局（周辺機器３ａ〜３ｆ）とのリンクを切断する理由は、一次局（無線基地局装置２）と二次局（周辺機器３ａ〜３ｆ）間の回線上のトラフィックを低減させることが大きな目的である。ここでの意図的なリンク断動作について図１０を参照して詳細に説明する。
【００２６】
一次局（無線基地局装置２）が意図的に二次局（周辺機器３ａ〜３ｆ）を切断する場面が生じた場合、一次局（無線基地局装置２）は切断コマンド（ＤＩＳＣ）を二次局（周辺機器３ａ〜３ｆ）へ送信する。二次局（周辺機器３ａ〜３ｆ）は切断コマンド（ＤＩＳＣ）を受信すると切断応答レスポンス（ＵＡ）を送信する。一次局（無線基地局装置２）は、切断応答レスポンス（ＵＡ）を受信することで該当する二次局（周辺機器３ａ〜３ｆ）とのリンクを切断し、リンク断状態に移行させる。このように意図的に二次局（周辺機器３ａ〜３ｆ）とのリンクを切断した場合でも、本実施の形態では、一次局（無線基地局装置２）は、リンクが切断された二次局（周辺機器３ａ〜３ｆ）の固有ＩＤを記憶しているため、図９に示すように、デバイススキャンを行わない方式でリンク再確立を高速に実施することが可能となる。また、リンクの再確立は、一次局（無線基地局装置２）が自発的に行う場合と、上位装置からの指示で行う場合との両方が可能である。
【００２７】
以上のように本実施の形態によれば、リンクが切断された二次局（周辺機器３ａ〜３ｆ）の固有ＩＤを記憶しておくように構成することにより、デバイススキャンを行うことなく、リンク断状態からリンクを再確立させることができ、リンク断状態の時間を最小限に留めることが可能となる。
【００２８】
なお、本実施の形態では、固有ＩＤを構成するシリアルナンバーに基づいて照合を行うように構成したが、ベンダーコードを用いて照合を行うように構成しても良く、シリアルナンバーが全て用いても検出できない場合に、ベンダーコードを用いて照合するように構成しても良い。
【００２９】
上述の説明のように、無線基地局装置２のデバイススキャン方法にあっては、固有ＩＤにおける１桁目を検査対象桁に指定し、当該検査対象桁にセットする数値を変更させながらＸＩＤコマンドを順次送信し、送信したＸＩＤコマンドに対応したＸＩＤレスポンスを周辺機器３ａ〜３ｆのいずれか１台から受信した場合には、当該周辺機器を検出し、送信した前記ＸＩＤコマンドに対応したＸＩＤレスポンスを周辺機器３ａ〜３ｆの内の複数台から受信した場合には、ＸＩＤレスポンスの衝突を検出した衝突位置を記憶すると共に、前記検査対象桁を次の桁に繰り上げてＸＩＤコマンド送信ステップを実行することにより、上位装置からの二次局情報が無くとも、一次局である無線基地局装置で二次局である周辺機器を検索でき、ＸＩＤレスポンスの衝突を利用することで高速な検索が可能になるという効果を奏する。
【００３０】
以上のように、本実施の形態における無線基地局装置２のリンク確立方法は、次のように構成される。
（１）、周辺機器に設定されている固有ＩＤに基づいて前記周辺機器を検索してリンクを確立する無線基地局装置のリンク確立方法であって、前記固有ＩＤにおける１桁目を検査対象桁に指定し、当該検査対象桁にセットする数値を変更させながらＸＩＤコマンドを順次送信するＸＩＤコマンド送信ステップと、送信した前記ＸＩＤコマンドに対応したＸＩＤレスポンスを１台の前記周辺機器から受信した場合には、当該周辺機器を検出する検出ステップと、送信した前記ＸＩＤコマンドに対応したＸＩＤレスポンスを複数台の前記周辺機器から受信した場合には、前記ＸＩＤレスポンスの衝突を検出した衝突位置を記憶すると共に、前記検査対象桁を次の桁に繰り上げて前記ＸＩＤコマンド送信ステップを実行させる衝突検出ステップと、検索した前記周辺機器の前記固有ＩＤを用いてリンクを確立させるリンク確立ステップとを有することを特徴とする。
【００３１】
（２）、（１）の構成に加えて、リンクが確立した前記周辺機器の前記固有ＩＤを記憶する固有ＩＤ記憶ステップを有することを特徴とする。
【００３２】
（３）、（２）の構成に加えて、リンクが切断され、リンク断状態の前記周辺機器に対して、前記ＸＩＤコマンド送信ステップ、前記検出ステップ及び前記衝突検出ステップを実行することなく、前記固有ＩＤ記憶ステップによって記憶した前記固有ＩＤを用いてリンクを再確立させるリンク再確立ステップを有することを特徴とする。
【００３３】
（４）、（１）の構成に加えて、検査対照桁が最終桁であり、セットしたデータが最後の数値まで達した場合には、検査対照オクテットを固有ＩＤの１桁目である最初の０オクテットに初期化して、記憶している衝突位置をセットしたＸＩＤコマンドを送信することを特徴とする。
【００３４】
（５）、（４）の構成に加えて、２桁以降のデバイススキャンにおいては、先に照合した桁にＸＩＤレスポンスの衝突が検出された衝突位置がセットされ、検査対象桁と、先に照合した桁とがマスク指定されることを特徴とする。
【００３５】
（６）、リンクが切断された周辺機器の固有ＩＤを記憶されている場合には、無線基地局装置は、周辺機器に対してデバイススキャンを実行しないことを特徴とする。
【００３６】
なお、本発明が上記各実施の形態に限定されず、本発明の技術思想の範囲内において、各実施の形態は適宜変更され得ることは明らかである。また、上記構成部材の数、位置、形状等は上記実施の形態に限定されず、本発明を実施する上で好適な数、位置、形状等にすることができる。なお、各図において、同一構成要素には同一符号を付している。
【符号の説明】
【００３７】
１  無線基地局
２  無線基地局装置
２１  ＣＰＵ
２２  ＲＯＭ
２３  ＲＡＭ
２４  ＤＳＰ
２５  ＦＰＧＡ
２６  バス
３ａ、３ｂ、３ｃ、３ｄ、３ｅ、３ｆ、３ｇ  周辺機器
【図１】
0005740280.tif 000002
【図２】
0005740280.tif 000003
【図３】
0005740280.tif 000004
【図４】
0005740280.tif 000005
【図５】
0005740280.tif 000006
【図６】
0005740280.tif 000007
【図７】
0005740280.tif 000008
【図８】
0005740280.tif 000009
【図９】
0005740280.tif 000010
【図１０】
0005740280.tif 000011